(57)【要約】【課題】モバイルコンテンツオーサリングツールでインデックスページを構築する方法およびシステムを開示する。【解決手段】サイトのインデックスページを製作するためのツール（ｔｏｏｌ）を通じて前記サイトを構成する少なくとも１つのコンテンツページを提供し、前記ツールを通じてユーザから選択された前記コンテンツページをインデックスに指定して前記インデックスページを構築することを含むインデックスページ構築方法が提供される。【選択図】図１０
2015118696.tif 000002
【特許請求の範囲】
【請求項１】
サイトのインデックスページを製作するためのツール（ｔｏｏｌ）を通じて前記サイトを構成する少なくとも１つのコンテンツページを提供し、
前記ツールを通じてユーザから選択された前記コンテンツページをインデックスに指定して前記インデックスページを構築すること
を含む、インデックスページ構築方法。
【請求項２】
前記インデックスページを構築することは、
前記コンテンツページと関連するイメージを前記インデックスに表示してイメージタイプのインデックスを構成すること
を特徴とする、請求項１に記載のインデックスページ構築方法。
【請求項３】
前記ツールは、前記少なくとも１つのコンテンツページからなるコンテンツリストと前記インデックスページに該当するテンプレートを提供すること
を特徴とする、請求項１に記載のインデックスページ構築方法。
【請求項４】
前記テンプレートは複数の単位領域で構成され、
前記インデックスページを構築することは、
前記ユーザによって前記コンテンツリストから選択された前記コンテンツページを前記テンプレートから選択された前記単位領域のインデックスに指定すること
を特徴とする、請求項３に記載のインデックスページ構築方法。
【請求項５】
前記インデックスページを構築することは、
前記コンテンツページからコンテンツ情報を抽出し、
前記インデックスに前記抽出されたコンテンツ情報を表示すること
を含む、請求項１に記載のインデックスページ構築方法。
【請求項６】
前記コンテンツ情報を抽出することは、
前記コンテンツページのタイトル（ｔｉｔｌｅ）、説明（ｄｅｓｃｒｉｐｔｉｏｎ）、イメージ（ｉｍａｇｅ）のうち少なくとも１つを抽出することを特徴とする、請求項５に記載のインデックスページ構築方法。
【請求項７】
前記ツールは、前記抽出されたコンテンツを編集する機能を提供すること
を特徴とする、請求項５に記載のインデックスページ構築方法。
【請求項８】
前記ツールは、前記抽出されたコンテンツ情報が表示されるインデックス位置およびインデックスサイズのうち少なくとも１つを編集する機能を提供すること
を特徴とする、請求項５に記載のインデックスページ構築方法。
【請求項９】
サイトのインデックスページを製作するためのツールは、前記サイトを構成する少なくとも１つのコンテンツページからなるコンテンツリストと前記インデックスページに該当するテンプレートを提供し、
前記ツールを通じてユーザによって前記コンテンツリストから選択されたコンテンツページを前記テンプレートから選択された単位領域のインデックスに指定し、
前記コンテンツリストから選択されたコンテンツページからコンテンツ情報を抽出し、
前記テンプレートから選択された単位領域のインデックスに前記抽出されたコンテンツ情報を表示して前記インデックスページを構築すること
を含む、インデックスページ構築方法。
【請求項１０】
コンピュータシステムがサイトのインデックスページを構築するように制御する命令（ｉｎｓｔｒｕｃｔｉｏｎ）を含むコンピュータ読み取り可能な格納媒体であって、
前記命令は、
前記インデックスページを製作するためのツールを通じて前記サイトを構成する少なくとも１つのコンテンツページを提供し、
前記ツールを通じてユーザから選択された前記コンテンツページをインデックスに指定して前記インデックスページを構築すること
を含む方法によって前記コンピュータシステムを制御するコンピュータで読み取り可能な格納媒体。
【請求項１１】
少なくとも１つのプログラムがローディングされたメモリ、および
少なくとも１つのプロセッサ
を備え、
前記少なくとも１つのプロセッサは、前記プログラムの制御にしたがい、
サイトのインデックスページを製作するためのツールを通じて前記サイトを構成する少なくとも１つのコンテンツページを提供する過程、および
前記ツールを通じてユーザから選択された前記コンテンツページをインデックスに指定して前記インデックスページを構築する過程
を処理するサイト管理システム。
【請求項１２】
少なくとも１つのプログラムがローディングされたメモリ、および
少なくとも１つのプロセッサ
を備え、
サイトのインデックスページを製作するためのツールは、前記サイトを構成する少なくとも１つのコンテンツページからなるコンテンツリストと前記インデックスページに該当するテンプレートを提供し、
前記少なくとも１つのプロセッサは、前記プログラムの制御にしたがい、
前記ツールを通じてユーザによって前記コンテンツリストから選択されたコンテンツページを前記テンプレートから選択された単位領域のインデックスに指定する過程、
前記コンテンツリストから選択されたコンテンツページからコンテンツ情報を抽出する過程、および
前記テンプレートから選択された単位領域のインデックスに前記抽出されたコンテンツ情報を表示して前記インデックスページを構築する過程
を処理するサイト管理システム。
【請求項１３】
前記ツールは、前記抽出されたコンテンツを編集する機能を提供すること
を特徴とする、請求項１２に記載のサイト管理システム。
【請求項１４】
前記ツールは、前記抽出されたコンテンツ情報が表示されるインデックス位置およびインデックスサイズのうち少なくとも１つを編集する機能を提供すること
を特徴とする、請求項１２に記載のサイト管理システム。
【請求項１５】
サイトのインデックスページを製作するために前記サイトを構成する少なくとも１つのコンテンツページを提供し、
ユーザから選択された前記コンテンツページをインデックスに指定して前記インデックスページを構築すること
をコンピュータに実行させるためのプログラム。
【請求項１６】
サイトのインデックスページを製作するために前記サイトを構成する少なくとも１つのコンテンツページからなるコンテンツリストと前記インデックスページに該当するテンプレートを提供し、
ユーザによって前記コンテンツリストから選択されたコンテンツページを前記テンプレートから選択された単位領域のインデックスに指定し、
前記コンテンツリストから選択されたコンテンツページからコンテンツ情報を抽出し、
前記テンプレートから選択された単位領域のインデックスに前記抽出されたコンテンツ情報を表示して前記インデックスページを構築すること
をコンピュータに実行させるためのプログラム。
【発明の詳細な説明】
【技術分野】
【０００１】
本発明の実施形態は、コンテンツサイトを構築する技術に関する。
【背景技術】
【０００２】
最近では、モバイル環境に合わせてコンテンツページを製作するフレームワークおよび基盤環境を提供しており、これによって誰でも簡単にモバイルコンテンツページを作ることができる。
【０００３】
例えば、韓国登録特許第１０−０９１７６７２号広報（登録日２００９年０９月０９日）には、ツリー方式のディレクトリ構造を提供するモバイルウェブサイト製作ツールが開示されている。
【０００４】
しかし、モバイルコンテンツサイトに対するインデックスページを構成するためには、決められたレイアウトにインデックスを構成する方式の製作ツールを利用している。
【０００５】
特に既存の製作ツールは、インデックスに表示するコンテンツのタイトル、イメージ、内容などをすべて手動で入力しなければならず、インデックスにリンクするコンテンツページを一つ一つ設定しなければならないという不便さがある。
【先行技術文献】
【特許文献】
【０００６】
【特許文献１】韓国登録特許第１０−０９１７６７２号公報
【発明の概要】
【発明が解決しようとする課題】
【０００７】
ウェブ／モバイルサイトに対して容易かつ簡便にインデックス（目次）ページを構築することができる、インデックスページ構築方法およびシステムを提供する。
【０００８】
予め製作されたコンテンツページを利用してイメージ型インデックスページを構築することができる、インデックスページ構築方法およびシステムを提供する。
【課題を解決するための手段】
【０００９】
サイトのインデックスページを製作するためのツール（ｔｏｏｌ）を通じて前記サイトを構成する少なくとも１つのコンテンツページを提供し、前記ツールを通じてユーザから選択された前記コンテンツページをインデックスに指定して前記インデックスページを構築することを含むインデックスページ構築方法が提供される。
【００１０】
一実施形態によると、前記インデックスページを構築することは、前記コンテンツページと関連するイメージを前記インデックスに表示してイメージタイプのインデックスを構成してもよい。
【００１１】
他の一実施形態によると、前記ツールは、前記少なくとも１つのコンテンツページからなるコンテンツリストと前記インデックスページに該当するテンプレートを提供してもよい。
【００１２】
さらに他の一実施形態によると、前記テンプレートは複数の単位領域で構成され、前記インデックスページを構築することは、前記ユーザによって前記コンテンツリストから選択された前記コンテンツページを前記テンプレートから選択された前記単位領域のインデックスに指定してもよい。
【００１３】
さらに他の一実施形態によると、前記インデックスページを構築することは、前記コンテンツページからコンテンツ情報を抽出し、前記インデックスに前記抽出されたコンテンツ情報を表示することを含んでもよい。
【００１４】
さらに他の一実施形態によると、前記コンテンツ情報を抽出することは、前記コンテンツページのタイトル（ｔｉｔｌｅ）、説明（ｄｅｓｃｒｉｐｔｉｏｎ）、イメージ（ｉｍａｇｅ）のうち少なくとも１つを抽出してもよい。
【００１５】
さらに他の一実施形態によると、前記ツールは、前記抽出されたコンテンツを編集する機能を提供してもよい。
【００１６】
さらに他の一実施形態によると、前記ツールは、前記抽出されたコンテンツ情報が表示されるインデックス位置およびインデックスサイズのうち少なくとも１つを編集する機能を提供してもよい。
【００１７】
サイトのインデックスページを製作するためのツールは、前記サイトを構成する少なくとも１つのコンテンツページからなるコンテンツリストと前記インデックスページに該当するテンプレートを提供し、前記ツールを通じてユーザによって前記コンテンツリストから選択されたコンテンツページを前記テンプレートから選択された単位領域のインデックスに指定し、前記コンテンツリストから選択されたコンテンツページからコンテンツ情報を抽出し、前記テンプレートから選択された単位領域のインデックスに前記抽出されたコンテンツ情報を表示して前記インデックスページを構築することを含むインデックスページ構築方法が提供される。
【００１８】
コンピュータシステムがサイトのインデックスページを構築するように制御する命令（ｉｎｓｔｒｕｃｔｉｏｎ）を含むコンピュータで読み取り可能な媒体であって、前記命令は、前記インデックスページを製作するためのツールを通じて前記サイトを構成する少なくとも１つのコンテンツページを提供し、前記ツールを通じてユーザから選択された前記コンテンツページをインデックスに指定して前記インデックスページを構築することを含む方法によって前記コンピュータシステムを制御する、コンピュータで読み取り可能な格納媒体が提供される。
【００１９】
少なくとも１つのプログラムがローディングされたメモリ、および少なくとも１つのプロセッサを備え、前記少なくとも１つのプロセッサは、前記プログラムの制御にしたがい、サイトのインデックスページを製作するためのツールを通じて前記サイトを構成する少なくとも１つのコンテンツページを提供する過程、および前記ツールを通じてユーザから選択された前記コンテンツページをインデックスに指定して前記インデックスページを構築する過程を処理するサイト管理システムが提供される。
【００２０】
少なくとも１つのプログラムがローディングされたメモリ、および少なくとも１つのプロセッサを備え、サイトのインデックスページを製作するためのツールは、前記サイトを構成する少なくとも１つのコンテンツページからなるコンテンツリストと前記インデックスページに該当するテンプレートを提供し、前記少なくとも１つのプロセッサは、前記プログラムの制御にしたがい、前記ツールを通じてユーザによって前記コンテンツリストから選択されたコンテンツページを前記テンプレートから選択された単位領域のインデックスに指定する過程、前記コンテンツリストから選択されたコンテンツページからコンテンツ情報を抽出する過程、および前記テンプレートから選択された単位領域のインデックスに前記抽出されたコンテンツ情報を表示して前記インデックスページを構築する過程を処理するサイト管理システムが提供される。
【００２１】
コンピュータによって実行されるプログラムであって、サイトのインデックスページを製作するために前記サイトを構成する少なくとも１つのコンテンツページを提供し、ユーザから選択された前記コンテンツページをインデックスに指定して前記インデックスページを構築することを実行させるプログラムが提供される。
【００２２】
コンピュータによって実行されるプログラムであって、サイトのインデックスページを製作するために前記サイトを構成する少なくとも１つのコンテンツページからなるコンテンツリストと前記インデックスページに該当するテンプレートを提供し、ユーザによって前記コンテンツリストから選択されたコンテンツページを前記テンプレートから選択された単位領域のインデックスに指定し、前記コンテンツリストから選択されたコンテンツページからコンテンツ情報を抽出し、前記テンプレートから選択された単位領域のインデックスに前記抽出されたコンテンツ情報を表示して前記インデックスページを構築することを実行させるプログラムが提供される。
【発明の効果】
【００２３】
本発明の実施形態によると、コンテンツサイトに対して予め製作されたコンテンツページを利用してインデックスページを自動で構築することができるオーサリングツールを提供することにより、コンテンツ製作の便宜性を向上させることができる。
【００２４】
本発明の実施形態によると、コンテンツサイトに対してイメージリストで構成されたインデックスページを提供して予め製作されたコンテンツページから一定情報を抽出し、これをインデックス情報として表示することにより、インデックスページだけで全体的な全体ビューが可能となり、特にページ転換することなくコンテンツの一部情報を確認することができる効率性を提供することができる。
【図面の簡単な説明】
【００２５】
【図１】本発明の一実施形態において、ユーザ端末とサイト管理システムの間の概括的な様子示した図である。
【図２】本発明の一実施形態において、モバイルサイトのインデックスページを製作するための管理者画面を例示的に示した図である。
【図３】本発明の一実施形態において、モバイルサイトのインデックスページを製作するための管理者画面を例示的に示した図である。
【図４】本発明の一実施形態において、モバイルサイトのインデックスページを製作するための管理者画面を例示的に示した図である。
【図５】本発明の一実施形態において、モバイルサイトのインデックスページを製作する過程の一例を説明するための図である。
【図６】本発明の一実施形態において、モバイルサイトのインデックスページを製作する過程の一例を説明するための図である。
【図７】本発明の一実施形態において、モバイルサイトのインデックスページを製作する過程の一例を説明するための図である。
【図８】本発明の一実施形態において、モバイルサイトのインデックスページを製作する過程の一例を説明するための図である。
【図９】本発明の一実施形態において、モバイルサイトのインデックスページを製作する過程の一例を説明するための図である。
【図１０】本発明の一実施形態において、インデックスページ構築方法を示したフローチャートである。
【図１１】本発明の一実施形態において、サイト管理システムの内部構成を示したブロック図である。
【図１２】本発明の一実施形態において、端末機の内部構成を説明するためのブロック図である。
【発明を実施するための形態】
【００２６】
以下、本発明の実施形態について、添付の図面を参照しながら詳細に説明する。
【００２７】
本実施形態は、ユーザがウェブ／モバイルサイトを構築するために該当サイトのコンテンツページを製作することができるツールを含んだコンテンツ製作プラットフォームを提供する。
【００２８】
図１は、本発明の一実施形態において、ユーザ端末とサイト管理システムの間の概括的な様子を示している。図１では、サイト管理システム１００およびユーザ端末１０１を示している。図１において矢印は、サイト管理システム１００とユーザ端末１０１との間に有／無線ネットワークを通じてデータが送受信することを意味してもよい。
【００２９】
ユーザ端末１０１は、ＰＣ、スマートフォン、タブレットなどであって、サイト管理システム１００と関連するウェブ／モバイルサイトへの接続、またはサービス専用アプリケーションのインストールおよび実行が可能なすべての端末装置を意味してもよい。このとき、ユーザ端末１０１は、ウェブ／モバイルサイトまたは専用アプリケーションの制御下に、サービス画面構成、データ入力、データ送受信、データ格納などのサービス全般の動作を実行してもよい。
【００３０】
サイト管理システム１００は、ウェブサイトやモバイルサイトを構築するためのプラットフォームの役割をするものであって、以下ではモバイルサイトを一例として説明するが、発明に係るオーサリングツールは、モバイルサイトだけではなくウェブサイトなどの製作にも適用が可能である。
【００３１】
サイト管理システム１００は、ユーザ（一般ユーザまたは広告主）がモバイルサイトのコンテンツページを製作することができるオーサリングツールを提供してもよい。特に、サイト管理システム１００は、モバイルサイトに既に製作されているコンテンツページを利用してモバイルサイトのインデックスページを構成することができる著作環境を提供してもよい。
【００３２】
本明細書において、「インデックスページ」とは、モバイルサイトに対する目次を示すページを意味してもよい。
【００３３】
図２〜図４は、本発明の一実施形態において、モバイルサイトのインデックスページを製作するための管理者画面を例示的に示している。図２〜図４は、モバイルサイトを製作および管理するユーザ（管理者）の端末機に表示される管理者画面を示している。
【００３４】
図２は、インデックスカードを追加するためのカード追加画面２００の例を示している。サイト管理システムでは、モバイルサイトの目的や業種などを考慮してサイトフォーマットを提供してもよく、このとき、コンテンツページを構成するためのコンテンツの種類や用途などに応じて多様なフォーマットのカードテンプレートを提供してもよい。カード追加画面２００はコンテンツページであって、追加可能なカードテンプレートのリストで構成されてもよい。本実施形態では、カード追加画面２００のカードテンプレートリストにインデックスページを構成することができる「インデックス」カードテンプレート２０１を追加して提供してもよい。
【００３５】
図３は、インデックスページを製作するためのインデックス製作画面の例を示している。インデックス製作画面には、図２のカード追加画面２００から「インデックス」カードテンプレート２０１を選択したり、予め製作されたインデックスページ修正のためのその他の経路などを経て進んでもよい。図３に示すように、インデックス製作画面は、インデックス構成画面３１０、コンテンツリスト３２０、コンテンツ編集画面３３０などで構成されてもよい。
【００３６】
インデックス構成画面３１０は、モバイルサイトに表示されるインデックスページを構成および編集するための領域である。一例として、インデックスページは、イメージタイプのリストで提供されてもよく、これにより、インデックス構成画面３１０は、インデックスを構成するコンテンツが表示される領域として複数の単位領域を含んでもよい。このとき、コンテンツそれぞれに対してインデックス構成画面３１０内で表示される領域サイズと位置が指定されてもよく、複数の単位領域のうち１つの単位領域または２つ以上の単位領域上に表示されてもよい。
【００３７】
コンテンツリスト３２０は、インデックスを構成するコンテンツで利用可能な対象を整列して示すものである。本実施形態において、コンテンツリスト３２０は、ユーザのモバイルサイト構築時に事前に製作されたコンテンツページで形成されてもよい。このとき、コンテンツページとは、テキスト、イメージ、動画、音声、地図など少なくても１つの情報で製作されたすべての文書を意味してもよい。他の例として、インデックス製作画面でコンテンツリスト３２０以外にコンテンツリスト３２０に含まれたコンテンツページのうち、特定タイプの文書を別途のリストに整列して示してもよい。例えば、図４に示すように、コンテンツリスト３２０には全体文書を整列して示し、コンテンツリスト３２０に含まれたコンテンツページのうち、イメージ（および／または動画など）だけで製作された文書はイメージリスト３２１に整列して示してもよい。
【００３８】
上述した構成のインデックス製作画面は、インデックス構成および編集のために、コンテンツリスト３２０（またはイメージリスト３２１）とインデックス構成画面３１０との間のドラッグ＆ドロップ（ｄｒａｇ  ａｎｄ  ｄｒｏｐ）機能を提供してもよい。例えば、コンテンツリスト３２０からコンテンツページをドラッグしてインデックス構成画面３１０にドロップすると、該当のコンテンツページがインデックスに含まれるようになり、インデックス構成画面３１０からコンテンツページをドラッグしてコンテンツリスト３２０にドロップすると、インデックスから該当のコンテンツページが削除されるようになる。
【００３９】
コンテンツ編集画面３３０は、コンテンツリスト３２０またはイメージリスト３２１から選択されたコンテンツページがインデックス構成画面３１０の単位領域に指定される場合、該当コンテンツページの一定情報を自動で表示し、表示された情報を編集することができる領域である。一例として、コンテンツ編集画面３３０には、コンテンツページから抽出されたタイトル（ｔｉｔｌｅ）、説明（ｄｅｓｃｒｉｐｔｉｏｎ）、イメージなどが区分され、それぞれ修正可能な形態で表示されてもよい。
【００４０】
図５〜図８は、本発明の一実施形態において、モバイルサイトのインデックスページを製作する過程の一例を説明するための図である。
【００４１】
図５に示すように、ユーザがコンテンツリスト５２０からインデックスページに追加しようとするコンテンツページ５０１を選択した後、該当のコンテンツページ５０１をドラッグしてインデックス構成画面５１０上でドロップしてもよい。
【００４２】
図６に示すように、コンテンツリスト６２０からコンテンツページがインデックス構成画面６１０にドラッグ＆ドロップされると、ドロップされた位置の単位領域に該当コンテンツページに含まれた情報の一部（以下、「コンテンツ情報」と称する）６０２が表示されてもよい。このとき、コンテンツ情報６０２は、コンテンツページから抽出された情報であって、コンテンツページに含まれたタイトル、説明、イメージ（または動画）のうち少なくとも１つを含んでもよい。一例として、コンテンツページに少なくとも１つのイメージが含まれている場合、ドロップ位置の単位領域にイメージが表示されてもよい。他の例として、コンテンツページがテキストのみで作成された文書である場合、一部の文書内容（例えば、最初の段落）がドロップ位置の単位領域に表示されてもよい。このとき、インデックス構成画面６１０の単位領域にテキストのみが表示される場合は、該当の領域に背景色を適用してもよい。
【００４３】
さらに、インデックス構成画面では、コンテンツ情報を表示するための領域のサイズと位置を編集してもよい。一例として、インデックス構成画面内で単位領域に表示されたコンテンツ情報をドラッグ＆ドロップして表示しようとする領域位置を変更してもよい。すなわち、最初のドロップ位置の単位領域から他の位置の単位領域にコンテンツ情報の表示位置を変更してもよい。他の例として、インデックス構成画面で単位領域に表示されたコンテンツ情報の縦横比を変更してコンテンツ情報が表示される領域サイズを変更してもよい。例えば、図６で単一単位領域に表示されたコンテンツ情報６０２の縦横比を増加させ、図７に示すように該当コンテンツ情報７０２が表示される領域サイズを編集してもよい。
【００４４】
さらに、図７を参照すると、コンテンツリスト７２０からコンテンツページがインデックス構成画面７１０にドラッグ＆ドロップされてインデックスに指定されると、コンテンツ編集画面７３０には該当コンテンツページの一定情報、すなわち該当のコンテンツページから抽出されたタイトル、詳細説明、イメージなどが表示されてもよい。このとき、ユーザは、コンテンツ編集画面７３０を通じてインデックス上に表示されるタイトルまたはタイトルの位置（例えば、左側、中央、右側）を変更してもよい。図７では、「左側」「中央」「右側」の各ボタンをコンテンツ編集画面７３０に配置し、いずれかを選択することによってタイトルの位置を変更することを示しているが、タイトル位置の変更方法はこれに限られない。また、コンテンツ編集画面７３０でインデックス上に表示されるコンテンツの詳細説明を編集することも可能である。さらに、コンテンツページに含まれたイメージが複数である場合、コンテンツ編集画面７３０を通じてイメージリストが提供されてもよく、ユーザはイメージリストからインデックス上に表示されるコンテンツのイメージを選択して変更してもよい。このとき、コンテンツ編集画面７３０のイメージリストでは、現在適用されているイメージをハイライトで表示してもよい。
【００４５】
上述した過程を繰り返しながら、図８に示すように、ユーザがコンテンツリスト８２０から事前製作されているコンテンツページを選択してインデックス構成画面８１０の全体領域を自由に構成することによって簡単にインデックスページを製作することができ、インデックスにリンクするコンテンツページを簡便に設定することができる。例えば、図８に示すように、タイトルが「ＸＸＸ」、「ＺＺＺ」、「ＡＢＣ」、「Ａ１」である４つのコンテンツページを利用してインデックスページを構成した場合、モバイル端末を通じてモバイルサイトに接続すると、図９に示すように、ユーザがオーサリングツールを通じて製作したインデックスページ９００が該当サイトのフロント画面やメイン画面として表示されてもよい。このとき、インデックスページ９００からインデックスを選択するときに、関連コンテンツを段階的に提供してもよい。例えば、インデックスページ９００から特定コンテンツのインデックスが選択される場合、該当のインデックスに指定されたコンテンツページにすぐに移動したり、インデックスページ９００上にリンクを先に表示した後、リンクを通じて該当のインデックスに指定されたコンテンツページに移動してもよい。
【００４６】
図１０は、本発明の一実施形態において、インデックスページ構築方法を示したフローチャートである。一実施形態に係るインデックスページ構築方法は、図１と図１１を参照しながら説明するサイト管理システムによってそれぞれのステップが実行されてもよい。
【００４７】
ステップＳ１００１で、サイト管理システムは、ユーザの要請に応じてインデックスページを製作するためのオーサリングツールを提供し、オーサリングツールを通じて該当ユーザのモバイルサイトに製作されているコンテンツページリスト（コンテンツリスト）を提供してもよい。このとき、オーサリングツールでは、イメージタイプのインデックスページを構成することができるインデックスカードテンプレートを提供し、コンテンツリストとインデックスカードテンプレートとの間のドラッグ＆ドロップ機能を提供してもよい。
【００４８】
ステップＳ１００２で、サイト管理システムは、コンテンツリストから選択されたコンテンツページをインデックスに指定してもよい。言い換えれば、サイト管理システムは、オーサリングツールでユーザがコンテンツリストから選択したコンテンツページをインデックスカードテンプレートによってドラッグ＆ドロップすると、該当のコンテンツページをドロップ位置のインデックスに指定してもよい。
【００４９】
ステップＳ１００３で、サイト管理システムは、コンテンツリストから選択されたコンテンツページの一定情報（すなわち、コンテンツ情報）を抽出してもよい。一例として、サイト管理システムは、ユーザの選択に応じてインデックスに指定されたコンテンツページからタイトル、説明、イメージなどを抽出してもよい。
【００５０】
ステップＳ１００４で、サイト管理システムは、ユーザの選択に応じてインデックスに指定されたコンテンツページに対し、前記ステップＳ１００３で抽出されたコンテンツ情報を該当のインデックス上に表示してもよい。
【００５１】
さらに、オーサリングツールでは、インデックスに表示されるコンテンツ情報を編集することができる機能と、コンテンツ情報が表示されるインデックス位置および／または領域サイズを編集することができる機能を提供してもよい。
【００５２】
上述したインデックスページ構築方法は、図１〜図９を参照しながら説明した詳細内容に基づき、さらに短縮された動作または追加の動作を含んでもよい。また、２つ以上の動作が組み合わされてもよく、動作の順序や位置が変更されてもよい。
【００５３】
本発明の実施形態に係る方法は、多様なコンピュータシステムによって実行されるプログラム命令（ｉｎｓｔｒｕｃｔｉｏｎ）形態で実現され、コンピュータ読み取り可能な媒体に記録されてもよい。
【００５４】
本実施形態に係るプログラムは、ＰＣ基盤のプログラムまたはモバイル端末専用のアプリケーションで構成されてもよい。本実施形態におけるサイト管理アプリは、独立的に動作するプログラム形態で実現されたり、あるいは特定アプリケーションのイン−アプリ（ｉｎ−ａｐｐ）形態で構成されて前記特定アプリケーション上で動作が可能なように実現されてもよい。
【００５５】
図１１は、本発明の一実施形態において、インデックスページを構築するためのサイト管理システムの内部構成を示したブロック図である。図１１に示すように、一実施形態に係るサイト管理システムは、構成部１１１０と抽出部１１２０からなるプロセッサ１１００、メモリ１１０１、データベース１１０２、ネットワークインタフェース１１０３を備えて構成されてもよい。
【００５６】
メモリ１１０１には、インデックスページを製作するためのオーサリングツール、およびオーサリングツールを利用してインデックスページを構築する命令語を含むプログラムが格納されてもよい。図１〜図９を参照しながら説明したサイト管理システムで提供するオーサリングツールとサイト管理システムで実行されるインデックスページ構築過程は、メモリ１１０１に格納されたプログラムによって実行されてもよい。例えば、メモリ１１０１は、ハードディスク、ＳＳＤ、ＳＤカード、およびその他の格納媒体であってもよい。
【００５７】
データベース１１０２は、モバイルサイトを構築し、モバイルサイトのインデックスページを構築するのに必要なすべての情報を格納および保持することができる格納所であって、ユーザのモバイルサイトに既に製作されているコンテンツページ、コンテンツページにリンクするコンテンツなどが格納されてもよい。
【００５８】
ネットワークインタフェース１１０３は、モバイルサイトを構築し、モバイルサイトに対するインデックスページを構築するための有／無線オーサリングツールを利用しようとするユーザ端末との通信のために、サイト管理システムをネットワークに結合してもよい。
【００５９】
プロセッサ１１００は、メモリ１１０１に格納されたプログラムの命令語にしたがって処理する装置であって、ＣＰＵなどのマイクロプロセッサが含まれてもよい。プロセッサ１１００の詳細構成は次のとおりである。
【００６０】
構成部１１１０は、モバイルサイトに対するインデックスページを構成することができるオーサリングツールを提供してもよい。一例として、構成部１１１０は、インデックスページをイメージタイプのリストで構成することができるオーサリングツールを提供する。オーサリングツールは、図２〜図８を参照しながら説明したように、モバイルサイトに製作されているコンテンツページを利用してモバイルサイトのインデックスページを構成することができる環境と機能を支援してもよい。
【００６１】
また、構成部１１１０は、オーサリングツールを通じて事前に製作されているコンテンツページをコンテンツリストに提供してもよく、これによってユーザがコンテンツリストからコンテンツページを選択してインデックスカードテンプレートにドラッグ＆ドロップすると、該当のコンテンツページをドロップ位置のインデックスに指定してもよい。
【００６２】
このとき、抽出部１１２０は、インデックスに指定されたコンテンツページからコンテンツ情報を抽出してもよい。一例として、抽出部１１２０は、コンテンツページからタイトル、説明、イメージなどを抽出してもよい。
【００６３】
これにより、構成部１１１０は、コンテンツページから抽出されたコンテンツ情報（タイトル、説明、イメージなど）をインデックスに表示してもよい。
【００６４】
このとき、構成部１１１０は、オーサリングツールでコンテンツ情報を編集することができる機能を提供してもよく、ユーザによる編集内容をインデックスに表示されたコンテンツ情報に反映してもよい。
【００６５】
また、構成部１１１０は、オーサリングツールでインデックスによって構成されたコンテンツ情報を表示するための領域のサイズおよび位置のうち少なくとも１つを編集することができる機能を提供してもよい。言い換えれば、構成部１１１０は、ユーザによる編集内容に応じてコンテンツ情報が表示されるインデックス位置を変更したり、コンテンツ情報が表示されるインデックスサイズを変更してもよい。
【００６６】
上述したサイト管理システムは、図１〜図１０を参照しながら説明したインデックスページ構築方法の詳細内容に基づき、構成要素の一部が省略されたり追加の構成要素がさらに含まれてもよい。また、２つ以上の構成要素が組み合わされてもよく、構成要素間の動作順序や連携方式が変更されてもよい。
【００６７】
図１２は、本発明の一実施形態において、端末機の内部構成を説明するためのブロック図である。
【００６８】
端末機は、１つ以上のプロセッサ（ｐｒｏｃｅｓｓｏｒ）１２０１、メモリ（ｍｅｍｏｒｙ）１２０２、周辺装置インタフェース（ｐｅｒｉｐｈｅｒａｌ  ｉｎｔｅｒｆａｃｅ）１２０３、入／出力サブシステム（Ｉ／Ｏ  ｓｕｂｓｙｓｔｅｍ）１２１０、タッチスクリーン１２２１、センサ１２２２、その他の入／出力装置１２２３、ＲＦ回路１２３１、オーディオ回路１２３２、電力回路１２３３、および外部ポート１２３４を備えてもよい。このようなコンポーネントは、１つ以上の通信バスまたは信号線を通じて通信してもよい。
【００６９】
図１２は端末機の一例に過ぎず、端末機は図に示されたものよりも多かったり少ないコンポーネントを備えたり、２つ以上のコンポーネントを結合させたり、または相違するコンポーネントを備えた構成または配置を有してもよい。図１２に示されたコンポーネントは、１つ以上の信号処理またはアプリケーションに特化した集積回路を含むハードウェア、ソフトウェア、またはハードウェアおよびソフトウェアの両方の組み合わせによって実現されてもよい。
【００７０】
メモリ１２０２は、例えば、高速ランダムアクセスメモリ（ｈｉｇｈ−ｓｐｅｅｄ  ｒａｎｄｏｍ  ａｃｃｅｓｓ  ｍｅｍｏｒｙ）、磁気ディスク、エスラム（ＳＲＡＭ）、ディーラム（ＤＲＡＭ）、ロム（ＲＯＭ）、フラッシュメモリ、または非揮発性メモリを含んでもよい。メモリ１２０２は、端末機の動作に必要なソフトウェアモジュール、命令語集合、またはその他の多様なデータを含んでもよい。また、プロセッサ１２０１および周辺装置インタフェース１２０３のような他のコンポーネントによるメモリ１２０２に対するアクセスは、プロセッサ１２０１によって制御されてもよい。
【００７１】
周辺装置インタフェース１２０３は、端末機の入力および／または出力周辺装置を１つ以上のプロセッサ１２０１およびメモリ１２０２に結合させてもよい。プロセッサ１２０１は、メモリ１２０２に格納されたソフトウェアモジュールまたは命令語集合を実行し、端末機のための多様な機能を実行してデータを処理してもよい。
【００７２】
ＲＦ（ｒａｄｉｏ  ｆｒｅｑｕｅｎｃｙ）回路１２３１は、電磁気信号（ｅｌｅｃｔｒｏｍａｇｎｅｔｉｃ  ｓｉｇｎａｌ）とも知られているＲＦ信号を送受信してもよい。ＲＦ回路１２３１は、電気信号を電磁気信号に変換したり電磁気信号から電気信号を変換し、電磁気信号を通じて通信ネットワークおよび他の通信装置と通信してもよい。ＲＦ回路１２３１は、このような機能を実行するための周知の回路を含んでもよいが、このような回路は、アンテナシステム、ＲＦ送受信機、１つ以上の増幅器、チューナ、１つ以上の発振器（ｏｓｃｉｌｌａｔｏｒ）、デジタル信号処理器、ＣＯＤＥＣチップセット、加入者識別モジュール（ＳＩＭ）カード、メモリなどを含むが、これらに限定されることはない。ＲＦ回路１２３１は、セルラーフォンネットワーク、無線ＬＡＮ（ｌｏｃａｌ  ａｒｅａ  ｎｅｔｗｏｒｋ）、および／またはＭＡＮ（ｍｅｔｒｏｐｏｌｉｔａｎ  ａｒｅａ  ｎｅｔｗｏｒｋ）などの無線ネットワーク、イントラネットおよび／またはワールドワイドウェブ（ＷＷＷ）とも呼ばれるインターネットのようなネットワーク、およびその他の装置と無線通信によって通信してもよい。このような無線通信には、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＥＤＧＥ（Ｅｎｈａｎｃｅｄ  Ｄａｔａ  ＧＳＭ  Ｅｎｖｉｒｏｎｍｅｎｔ）、Ｗ−ＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ブルートゥース（Ｂｌｕｅｔｏｏｔｈ（登録商標））、（ＩＥＥＥ  ８０２．１１ａ、ＩＥＥＥ  ８０２．１１ｂ、ＩＥＥＥ  ８０２．１１ｇ、および／またはＩＥＥＥ  ８０２．１１ｎなどの）Ｗｉ−Ｆｉ（Ｗｉｒｅｌｅｓｓ  Ｆｉｄｅｌｉｔｙ）、ＶｏＩＰ（ｖｏｉｃｅ  ｏｖｅｒ  Ｉｎｔｅｒｎｅｔ  Ｐｒｏｔｏｃｏｌ）、Ｗｉ−ＭＡＸ、ＬＴＥ（Ｌｏｎｇ  Ｔｅｒｍ  Ｅｖｏｌｕｔｉｏｎ）、ＩＭＡＰ（Ｉｎｔｅｒｎｅｔ  Ｍｅｓｓａｇｅ  Ａｃｃｅｓｓ  Ｐｒｏｔｏｃｏｌ）、および／またはＰＯＰ（Ｐｏｓｔ  Ｏｆｆｉｃｅ  Ｐｒｏｔｏｃｏｌ）などの電子メール用プロトコル、ＸＭＰＰ（ｅＸｔｅｎｓｉｂｌｅ  Ｍｅｓｓａｇｉｎｇ  ａｎｄ  Ｐｒｅｓｅｎｃｅ  Ｐｒｏｔｏｃｏｌ）、ＳＩＭＰＬＥ（Ｓｅｓｓｉｏｎ  Ｉｎｉｔｉａｔｉｏｎ  Ｐｒｏｔｏｃｏｌ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）、ＩＭＰＳ（Ｉｎｓｔａｎｔ  Ｍｅｓｓａｇｉｎｇ  ａｎｄ  Ｐｒｅｓｅｎｃｅ  Ｓｅｒｖｉｃｅ）、またはＳＭＳ（Ｓｈｏｒｔ  Ｍｅｓｓａｇｅ  Ｓｅｒｖｉｃｅ）などのインスタントメッセージング、または本願出願日当時には開発されていない通信プロトコルを含んでもよい。また、上述した無線通信には、これらに限定されない複数の通信標準、プロトコル、および技術が使用されてもよい。
【００７３】
オーディオ回路１２３２は、スピーカおよび／またはマイクロフォンを利用してユーザと端末機との間のオーディオインタフェースを提供してもよい。オーディオ回路１２３２は、周辺装置インタフェース１２０３からオーディオデータを受信し、オーディオデータを電気信号に変換し、電気信号をスピーカに送信してもよい。スピーカは、電気信号を可聴音波（ｈｕｍａｎ−ａｕｄｉｂｌｅ  ｓｏｕｎｄ  ｗａｖｅ）に変換してもよい。また、オーディオ回路１２３２は、マイクロフォンによって音波から変換された電気信号を受信してもよい。オーディオ回路１２３２は、電気信号をオーディオデータに変換し、処理のためにオーディオデータを周辺装置インタフェース１２０３に送信してもよい。オーディオデータは、周辺装置インタフェース１２０３によってメモリ１２０２またはＲＦ回路１２３１から検索されたり、それらに送信されてもよい。一実施形態（ａｓｐｅｃｔ）によると、オーディオ回路１２３２は、ヘッドセットジャック（ｈｅａｄｓｅｔ  ｊａｃｋ）をさらに含んでもよい。ヘッドセットジャックは、例えば、出力と入力をすべて兼ね備えたヘッドセットまたは出力−専用ヘッドホンのような移動式オーディオ入／出力周辺装置とオーディオ回路１２３２との間のインタフェースを提供してもよい。
【００７４】
電力回路１２３３は、端末機のコンポーネントの全部または一部に電力を供給してもよい。例えば、電力回路１２３３は、電力管理システム、バッテリ、または交流（ＡＣ）などのような１つ以上の電源、充電システム、停電検出回路（ｐｏｗｅｒ  ｆａｉｌｕｒｅ  ｄｅｔｅｃｔｉｏｎ  ｃｉｒｃｕｉｔ）、電力変換器またはインバータ、電力状態表示子および装置の電力生成、管理および分配のための任意の他のコンポーネントを含んでもよい。
【００７５】
入／出力サブシステム１２１０は、タッチスクリーン１２２１、センサ１２２２、またはその他の入力制御装置１２２３のような入／出力周辺装置を周辺装置インタフェース１２０３に結合させてもよい。入／出力サブシステム１２１０は、ディスプレイコントローラ１２１１、センサコントローラ１２１２、または１つ以上のその他の入／出力コントローラ１２１３を含んでもよい。他の一実施形態によると、タッチスクリーン１２２１、センサ１２２２、またはその他の入力制御装置１２２３は、入／出力サブシステム１２１０を経ずに周辺装置インタフェース１２０３に結合してもよい。
【００７６】
一実施形態によると、プロセッサ１２０１、周辺装置インタフェース１２０３、入／出力サブシステム１２１０のうち少なくとも１つは、単一チップ上に実現されてもよい。また、プロセッサ１２０１、周辺装置インタフェース１２０３、および入／出力サブシステム１２１０のうち少なくとも１つの一部が単一チップ上に実現されてもよい。
【００７７】
ディスプレイコントローラ１２１１は、タッチ−感知領域を含むタッチスクリーン１２２１から電気信号を受信したり、タッチスクリーン１２２１に電気信号を送信したり、送受信をすべて実行してもよい。ディスプレイコントローラ１２１１の制御にしたがい、タッチスクリーン１２２１は、ユーザに対する視覚的出力をディスプレイしてもよい。視覚的出力は、グラフィック、テキスト、アイコン、ビデオ、およびこれらの任意の組み合わせ（以下、総括して「グラフィック」と指称する）を含んでもよい。一実施形態において、視覚的出力の一部または全部は、以下でさらに詳細に説明されるユーザインタフェースに対応してもよい。
【００７８】
タッチスクリーン１２２１には、ＬＣＤ（Ｌｉｑｕｉｄ  Ｃｒｙｓｔａｌ  Ｄｉｓｐｌａｙ）、ＬＰＤ（Ｌｉｇｈｔ  ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）、またはＡＭＯＬＥＤ（Ａｃｔｉｖｅ−ｍａｔｒｉｘ  Ｏｒｇａｎｉｃ  Ｌｉｇｈｔ−Ｅｍｉｔｔｉｎｇ  Ｄｉｏｄｅ）技術が使用されてもよいが、その他のディスプレイ技術が使用されてもよい。また、タッチスクリーン１２２１およびディスプレイコントローラ１２１１は、静電容量式技術（ｃａｐａｃｉｔｉｖｅ  ｔｅｃｈｎｏｌｏｇｙ）、抵抗式技術（ｒｅｓｉｓｔｉｖｅ）、赤外線技術（ｉｎｆｒａｒｅｄ  ｔｅｃｈｎｏｌｏｇｙ）、および表面音波技術（ｓｕｒｆａｃｅ  ａｃｏｕｓｔｉｃ  ｗａｖｅ  ｔｅｃｈｎｏｌｏｇｙ）を含んでもよいが、これらに限定されるものではなく、既に公知であったり今後に開発されるタッチ感知技術のうち任意のものを利用してもよい。また、タッチスクリーン１２１２およびディスプレイコントローラ１２５６は、近接センサ配列（ｐｒｏｘｉｍｉｔｙ  ｓｅｎｓｏｒ  ａｒｒａｙ）またはタッチスクリーン１２２１との１つ以上の接触点を判断するためのその他の構成要素を利用して接触またはそれの任意の動きや解除を感知してもよい。
【００７９】
ディスプレイコントローラ１２１１は、タッチ−感知領域を含まないスクリーンと結合してもよい。タッチ−感知領域を含まないスクリーンは、ディスプレイコントローラ１２１１から電気信号を受信してユーザに対する視覚的出力をディスプレイしてもよい。タッチ−感知領域を含まないスクリーンには、ＰＤＰ（Ｐｌａｓｍａ  Ｄｉｓｐｌａｙ  Ｐａｎｅｌ）、ＥＰＤ（Ｅｌｅｃｔｒｏｎｉｃ  Ｐａｐｅｒ  Ｄｉｓｐｌａｙ）、ＬＣＤ（Ｌｉｑｕｉｄ  Ｃｒｙｓｔａｌ  Ｄｉｓｐｌａｙ）、ＬＰＤ（Ｌｉｇｈｔ  ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）、またはＡＭＯＬＥＤ（Ａｃｔｉｖｅ−ｍａｔｒｉｘ  Ｏｒｇａｎｉｃ  Ｌｉｇｈｔ−Ｅｍｉｔｔｉｎｇ  Ｄｉｏｄｅ）技術が使用されてもよいが、その他のディスプレイ技術が使用されてもよい。タッチ−感知領域を含まないスクリーンを使用する端末機は、動作のためのユーザインタフェースとして、物理的なキーボード、マウス、物理的なボタンなどのような入／出力装置を提供してもよい。
【００８０】
１つ以上のその他の入／出力コントローラ１２１３は、その他の入／出力装置１２２３から電気信号を受信したり、それに電気信号を送信してもよい。その他の入／出力制御装置１２２３は、例えば、ボタン、キーボード、タッチパッド、ダイヤル、スライダスイッチ、ジョイスティックなどを含んでもよい。また、その他の入／出力コントローラ１２１３は、赤外線ポート、ＵＳＢポート、およびマウスなどのポインタ装置のうち任意のものと結合してもよい。
【００８１】
一実施形態によると、その他の入力制御装置１２２３は、１つ以上の物理的ボタンまたは仮想のボタンを含んでもよい。仮想のボタンの場合、ボタンおよびボタンコントローラはそれぞれタッチスクリーン１２２１およびディスプレイコントローラ１２１１の一部であってもよい。一実施形態において、ボタンは、スピーカ１２１１またはマイクロフォン１２１３のボリューム制御のためのアップ／ダウンボタン、ロッカーボタン、またはプッシュボタンを含んでもよい。一例として、ユーザがプッシュボタンを短く押すとタッチスクリーン１２２１のロックが解除され、再びタッチスクリーン上にジェスチャを適用して装置をロック解除するプロセスが開始されてもよい。また、ユーザがプッシュボタンを長く押し、端末機に対する電源をターン−オンまたはターン−オフしてもよい。
【００８２】
他の一実施形態によると、その他の入力制御装置１２２３は、１つ以上の物理的キーボードまたは仮想のソフトキーボードを含んでもよい。キーボードの一例として、標準構成（ＱＷＥＲＴＹ）および／または非標準構成のシンボルが使用されてもよい。仮想のソフトキーボードにおいて、ソフトキーボードおよびソフトキーボードコントローラはそれぞれタッチスクリーン１２２１およびディスプレイコントローラ１２１１の一部であってもよい。ソフトキーボードの実施形態は、物理的キーボードのキーの数よりも少ない数のグラフィック（またはソフトキー）を含んでもよい。これにより、ユーザはソフトキーボードの１つ以上のグラフィックを選択し、これにしたがって１つ以上の該当シンボルをタッチスクリーン１２２１上にディスプレイしてもよい。
【００８３】
さらに他の一実施形態によると、その他の入力制御装置１２２３は、特定機能を活性化または非活性化するためのタッチパッドを含んでもよい。一実施形態において、タッチパッドは、タッチスクリーンとは異なり、視覚的出力をディスプレイしないタッチ−感知領域を含んでもよい。また、タッチパッドは、タッチスクリーン１２２１から分離したタッチ−感知表面や、タッチスクリーンによって形成されて拡張したタッチ−感知表面の一部であってもよい。
【００８４】
このように、本発明の実施形態によると、コンテンツサイトに対して予め製作されたコンテンツページを利用してインデックスページを自動で構築することができるオーサリングツールを提供することにより、コンテンツ製作の便宜性を向上させることができる。また、本発明の実施形態によると、コンテンツサイトに対してイメージリストで構成されたインデックスページを提供して予め製作されたコンテンツページから一定情報を抽出し、これをインデックス情報に表示することにより、インデックスページだけで全体的なプレビューが可能となり、特にページ転換することなくコンテンツの一部情報を確認することができる効率性を提供することができる。
【００８５】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよい。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００８６】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望とおりに動作するように処理装置を構成したり、独立的または結合的に（ｃｏｌｌｅｃｔｉｖｅｌｙ）処理装置を命令したりしてもよい。ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。ソフトウェアは、ネットワークによって連結したコンピュータシステム上に分散し、分散した方法によって格納されたり実行されたりしてもよい。ソフトウェアおよびデータは、１つ以上のコンピュータで読み取り可能な記録媒体に格納されてもよい。
【００８７】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００８８】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００８９】
したがって、異なる実施形態であっても、特許請求の範囲と均等なものであれば、添付される特許請求の範囲に属する。
【符号の説明】
【００９０】
１０１０：構成部
１０２０：抽出部
【図１】
2015118696.tif 000003
【図２】
2015118696.tif 000004
【図３】
2015118696.tif 000005
【図４】
2015118696.tif 000006
【図５】
2015118696.tif 000007
【図６】
2015118696.tif 000008
【図７】
2015118696.tif 000009
【図８】
2015118696.tif 000010
【図９】
2015118696.tif 000011
【図１０】
2015118696.tif 000012
【図１１】
2015118696.tif 000013
【図１２】
2015118696.tif 000014